(57)【特許請求の範囲】
【請求項１】
受信機において送信機から部分再送を受信するための方法であって、
複数のシンボルを含む伝送時間間隔、ＴＴＩ、内で受信される送信を示す制御情報メッセージを受信すること（１００）であって、前記送信は、前記ＴＴＩの前記複数のシンボルの部分集合内に再送データを含み、前記再送データは、以前に送信されたトランスポート・ブロックの符号ブロックの部分集合を含む、ことと、
前記再送データを含む前記送信を受信すること（１０２）と、
前記ＴＴＩの前記複数のシンボルの前記部分集合を示すマッピング・インジケータであって、前記受信された制御情報メッセージに含まれ、前記再送データのシンボル位置を識別する複数のマッピングのうちの１つのマッピングを識別するマッピング・インジケータに基づいて、前記送信の前記ＴＴＩ内の前記再送データのシンボル位置を決定する（１０４）ことと、
前記決定されたシンボル位置にある前記再送データを復号すること（１０８）と、
を有する方法。
【請求項２】
請求項１に記載の方法であって、前記制御情報メッセージは、前記以前に送信されたトランスポート・ブロックの前記符号ブロックの前記部分集合を識別する、方法。
【請求項３】
請求項１又は２に記載の方法であって、前記マッピング・インジケータは、前記再送データが前記送信の前記ＴＴＩ内の連続するシンボルを占めることを示す、方法。
【請求項４】
送信機から部分再送を受信するための受信機であって、
複数のシンボルを含む伝送時間間隔、ＴＴＩ、内で受信される送信を示す制御情報メッセージを受信すること（１００）であって、前記送信は、前記ＴＴＩの前記複数のシンボルの部分集合内に再送データを含み、前記再送データは、以前に送信されたトランスポート・ブロックの符号ブロックの部分集合を含む、ことと、
前記再送データを含む前記送信を受信することと、
前記ＴＴＩの前記複数のシンボルの前記部分集合を示すマッピング・インジケータであって、前記受信された制御情報メッセージに含まれ、前記再送データのシンボル位置を識別する複数のマッピングのうちの１つのマッピングを識別するマッピング・インジケータに基づいて、前記送信の前記ＴＴＩ内の前記再送データのシンボル位置を決定することと、
前記決定されたシンボル位置にある前記再送データを復号することと、
を行うように適合される受信機。
【請求項５】
請求項４に記載の受信機であって、前記制御情報メッセージは、前記以前に送信されたトランスポート・ブロックの前記符号ブロックの前記部分集合を識別する、受信機。
【請求項６】
請求項４又は５に記載の受信機であって、前記マッピング・インジケータは、前記再送データが前記送信の前記ＴＴＩ内の連続するシンボルを占めることを示す、受信機。
【請求項７】
送信機によって部分再送を実行する方法であって、
トランスポート・ブロックの第１送信を受信機に送信することと、
前記トランスポート・ブロックのうち再送されるべき符号ブロックの部分集合を識別するインジケーションを前記受信機から受信することと、
複数のシンボルを含む伝送時間間隔、ＴＴＩ、内で第２送信が送信されることを示す制御情報メッセージを前記受信機に送信することであって、前記第２送信は、前記ＴＴＩの前記複数のシンボルの部分集合内に再送データを含み、前記再送データは、前記トランスポート・ブロックの前記符号ブロックの前記部分集合を含み、前記制御情報メッセージは、前記ＴＴＩの前記複数のシンボルの前記部分集合を示し、前記再送データのシンボル位置を識別する複数のマッピングのうちの１つのマッピングを識別するマッピング・インジケータを含む、ことと、
前記第２送信を前記受信機に送信することと、
を有する方法。
【請求項８】
請求項７に記載の方法であって、前記制御情報メッセージは、前記トランスポート・ブロックの前記符号ブロックの前記部分集合を識別する、方法。
【請求項９】
請求項７又は８に記載の方法であって、前記マッピング・インジケータは、前記再送データが前記第２送信の前記ＴＴＩ内の連続するシンボルを占めることを示す、方法。
【請求項１０】
部分再送を実行するための送信機であって、
トランスポート・ブロックの第１送信を受信機に送信することと、
前記トランスポート・ブロックのうち再送されるべき符号ブロックの部分集合を識別するインジケーションを前記受信機から受信することと、
複数のシンボルを含む伝送時間間隔、ＴＴＩ、内で第２送信が送信されることを示す制御情報メッセージを前記受信機に送信することであって、前記第２送信は、前記ＴＴＩの前記複数のシンボルの部分集合内に再送データを含み、前記再送データは、前記トランスポート・ブロックの前記符号ブロックの前記部分集合を含み、前記制御情報メッセージは、前記ＴＴＩの前記複数のシンボルの前記部分集合を示し、前記再送データのシンボル位置を識別する複数のマッピングのうちの１つのマッピングを識別するマッピング・インジケータを含む、ことと、
前記第２送信を前記受信機に送信することと、
を行うように適合される送信機。
【請求項１１】
請求項１０に記載の送信機であって、前記制御情報メッセージは、前記トランスポート・ブロックの前記符号ブロックの前記部分集合を識別する、送信機。
【請求項１２】
請求項１０又は１１に記載の送信機であって、前記マッピング・インジケータは、前記再送データが前記第２送信の前記ＴＴＩ内の連続するシンボルを占めることを示す、送信機。
【発明の詳細な説明】
【技術分野】
【０００１】
関連出願
この出願は２０１７年２月６日に出願された仮特許出願第６２／４５５，２７９号の利益を主張し、この開示は、その全体が参照によって本書に組み込まれる。
【０００２】
技術分野
本開示は、ハイブリッド自動再送要求（ＨＡＲＱ）、モバイル・ブロードバンド（ＭＢＢ）、及び超高信頼性低遅延（ＵＲＬＬＣ）スケジューリングに関する。
【背景技術】
【０００３】
トランスポート・ブロック（ＴＢ）は、伝送時間間隔（ＴＴＩ）における送信のために物理層に与えられる、上位層からの、例えば媒体アクセス制御（ＭＡＣ）からのデータである。ＴＢは、１０メガヘルツ（ＭＨｚ）ロング・ターム・エボリューション（ＬＴＥ）システムについて、１６ビットから３６６９６ビットまでのサイズの範囲であってもよい。ＴＢは６１４４ビットの最大サイズを有するコード・ブロック（ＣＢ）に分割されてもよく、これは最大ＴＢが７つのコード・ブロックを有することを意味する。ＴＢ巡回冗長検査（ＣＲＣ）値がトランスポート・ブロックに付加される。ＴＢがＣＢに分割されるならば、ＣＢ  ＣＲＣが各ＣＢに付加される。
【０００４】
多くのワイヤレス通信システムにおいて、ハイブリッド自動再送要求（ＨＡＲＱ）再送は、予測不可能な干渉及びチャネル変動を軽減する方法である。ダウンリンクについて、ワイヤレス・デバイスがデータ・メッセージを復号しようと試みる場合に、ワイヤレス・デバイスは、復号が成功したか否かを示すインジケータを送信機に送信する。復号に成功しなかったことを示すインジケータを送信機が受信した場合に、送信機は、典型的に、データ・メッセージの再送信を実行し、受信機は、典型的に、当初に受信された送信にそれを合成する。この合成は、ソフト合成として知られている。ソフト合成のための２つの周知の技法は、すべての再送が同じ情報を含む「チェイス合成」と、すべての再送が前の送信とは異なる情報を含む、例えば、当初の送信のうち正しく受信されなかった部分のみを再送が含む「増分冗長性」である。この合成は、復号が成功する確率を大幅に増加させる。
【０００５】
ＬＴＥにおいて、復号試行の結果を示すインジケータは、ＨＡＲＱ確認応答（ＨＡＲＱ−ＡＣＫ）として知られている。ＬＴＥについて、２つまでのトランスポート・ブロック（２つのデータ・メッセージ）が各伝送時間間隔（ＴＴＩ）で送信されてもよい。これはＨＡＲＱ−ＡＣＫが２ビットで構成されてもよいことを意味し、各ビットが個別のトランスポート・ブロックの受信成功又は受信不成功を示す。
【０００６】
ＬＴＥは第３世代パートナシップ・プロジェクト（３ＧＰＰ）ファミリーにおける無線システムの規格であり、モバイル・ブロードバンド（ＭＢＢ）トラフィックに対して高度に最適化されている。ＬＴＥのＴＴＩは１ｍｓの継続時間のサブフレームであり、ＨＡＲＱ−ＡＣＫは、周波数分割複信（ＦＤＤ）について、サブフレーム内のデータ伝送のためにサブフレーム内で送信される。超高信頼性低遅延通信（ＵＲＬＬＣ）は、極めて厳格なエラー及びレイテンシ要件を有するデータ・サービスである。１０−５の低さのエラー確率及び１ｍｓ以下のエンド・ツー・エンド・レイテンシが期待される要件である。
【０００７】
第５世代（５Ｇ）が現在、３ＧＰＰによって検討されており、ＭＢＢ及びＵＲＬＬＣを含む広範囲のデータ・サービスを対象としている。最適化されたサービスを可能にするために、異なるサービスに対してＴＴＩの長さが異なることが期待され、ＵＲＬＬＣはＭＢＢと比較してより短いＴＴＩ長を有してもよい。
【０００８】
そして、送信機がＭＢＢ送信の途中に、当該送信機は、やはり送信されるＵＲＬＬＣデータ・パケットを受信してもよいことが生じてもよい。したがって、このシナリオにおいて、ＵＲＬＬＣ送信がそのレイテンシ要件及び信頼性要件を満たすように、送信機が、ある時間−周波数リソースにおいてＭＢＢ送信をブランクにし、すなわち中断し、その代わりに、それらのリソース上でＵＲＬＬＣ送信を実行することが望ましい場合がある。これは、部分的又はパンクチャされたＭＢＢを受信するワイヤレス・デバイスが復号に失敗する可能性があるという欠点を有し、この状況は正常に受信及び復号されなかったトランスポート・ブロックを再送するＨＡＲＱフィードバック・メカニズムによって処理される。
【発明の概要】
【発明が解決しようとする課題】
【０００９】
パンクチャされたモバイル・ブロードバンド（ＭＢＢ）送信を再送で解決することに伴う問題は、（例えば、超信頼性低レイテンシ通信（ＵＲＬＬＣ）送信による）初期送信のパンクチャリングが、送信されたデータの一部のみに影響を及ぼすとしても、トランスポート・ブロック全体が再送されなければならないことである。すなわち、比較的小さいパンクチャリング送信は、ＭＢＢ送信の大部分がパンクチャされずに正しく受信されたとしても、はるかに大きいＭＢＢ送信の再送を引き起こす可能性がある。さらに、既存のハイブリッド自動再送要求（ＨＡＲＱ）フィードバック・メカニズムは失敗の場合にトランスポート・ブロック全体の再送を引き起こすので、且つ、ＵＲＬＬＣデータ・パケットがより長いＭＢＢ送信をいつでも中断することがあるので、これは比較的長いＭＢＢ送信が比較的短いＵＲＬＬＣ送信によって中断され、ＭＢＢ送信を失敗させる可能性を増やす。ユーザ機器（ＵＥ）が長いＭＢＢ送信を再送している間、当該送信は短いＵＲＬＬＣ送信によって再び中断され、それによって、ＭＢＢ送信全体が２回目に再送され、さらに別のＵＲＬＬＣ送信によってさらに再び中断されることがあり、以下同様である。言い換えれば、より短いＵＲＬＬＣ送信は、より長いＭＢＢ送信の送信成功を劇的に妨げうる。このような再送、特に複数の再送は無駄であり、さらに、他の同時データ送信に対する干渉を生成する。
【課題を解決するための手段】
【００１０】
これらの問題に対処するために、部分再送のための方法およびシステムが本書で提供され、ワイヤレス・デバイスは、再送における位置への符号化ビット（たとえば、符号ブロック）のマッピングを示すインジケータを受信し、例えば、マッピングは符号化ビットのどの部分集合が再送されるかと、各部分集合が再送のどの位置に配置されるかとについての情報を受信機に与える。その後、受信機は、示された位置においてのみ再送を受信でき、データパケットを、もしあれば、第１送信からのソフト情報とともに、復号することを試みることができる。
【００１１】
本開示の１つの側面によれば、受信機において送信機から部分再送を受信するための方法は、複数のシンボルを含む伝送時間間隔（ＴＴＩ）内で受信される第２送信を示す制御情報メッセージを受信することであって、前記第２送信は、前記ＴＴＩの前記複数のシンボルの部分集合内に再送データを含み、前記再送データは、第１送信の部分の再送を含む、ことと、前記第２送信を受信することと、前記ＴＴＩの前記複数のシンボルの前記部分集合を示すマッピング・インジケータに基づいて、前記第２送信内の前記再送データの位置を決定することと、前記第２送信内の前記決定された位置にある前記再送データを復号することと、を有する。
【００１２】
いくつかの実施形態において、前記制御情報メッセージは、ダウンリンク制御情報（ＤＣＩ）メッセージを含む。
【００１３】
いくつかの実施形態において、前記制御情報メッセージは、前記第１送信のどの部分が再送されているかを識別する。
【００１４】
いくつかの実施形態において、前記マッピング・インジケータは、前記受信された制御情報メッセージに含まれる。
【００１５】
いくつかの実施形態において、前記マッピング・インジケータは、前記制御情報メッセージとは別に受信される。
【００１６】
いくつかの実施形態において、前記マッピング・インジケータは、当初に送信されたデータが前記第１送信において占めるのと同じ位置を前記再送データが前記第２送信において占めることを示す。
【００１７】
いくつかの実施形態において、前記マッピング・インジケータは、前記再送データが前記第２送信内の連続する位置を占めることを示す。
【００１８】
いくつかの実施形態において、前記マッピング・インジケータは、前記再送データが前記第２送信にわたって分散されることを示す。
【００１９】
いくつかの実施形態において、前記マッピング・インジケータは、前記第１送信のどの部分が再送されているかを識別する。
【００２０】
いくつかの実施形態において、前記マッピング・インジケータは、複数のマッピングのうちの１つのマッピングを識別し、各マッピングは、前記第２送信内の前記再送データの位置と、前記第１送信のどの部分が再送されているかと、のうちの少なくとも１つを識別する。
【００２１】
いくつかの実施形態において、前記制御情報メッセージ又は前記マッピング・インジケータは、前記再送データが当初に送信されたデータを置き換えるか、又は前記当初に送信されたデータにソフト合成されるかを示す合成命令を含む。
【００２２】
いくつかの実施形態において、前記合成命令は、冗長バージョンを含む。
【００２３】
いくつかの実施形態において、前記受信機は、ワイヤレス・デバイス又はユーザ機器を含む。
【００２４】
いくつかの実施形態において、前記送信は、トランスポート・ブロックを含み、前記送信の前記部分は、コード・ブロック又はコード・ブロック・グループを含む。
【００２５】
いくつかの実施形態において、前記受信機は、ＨＡＲＱフィードバックの送信を介して、送信の部分の受信不成功を示す。
【００２６】
いくつかの実施形態において、前記ＨＡＲＱフィードバックは、トランスポート・ブロックごとに複数のビットを含む。
【００２７】
いくつかの実施形態において、前記複数のビットは、トランスポート・ブロックごと又はコード・ブロックごとにＨＡＲＱ確認応答（ＡＣＫ）又はネガティブＡＣＫ（ＮＡＣＫ）をシグナリングするために使用される。
【００２８】
本開示の別の側面によれば、送信機から部分再送を受信するためのワイヤレス・デバイスは、本書に記載されるワイヤレス・デバイスの方法の何れかに従って動作するように適合される。
【００２９】
本開示の別の側面によれば、送信機から部分再送を受信するためのワイヤレス・デバイスは、少なくとも１つの送受信機と、前記ワイヤレス・デバイスを本書に記載されるワイヤレス・デバイスの方法の何れかに従って動作させるように適合された処理回路と、を備える。
【００３０】
本開示の別の側面によれば、送信機から部分再送を受信するためのワイヤレス・デバイスは、本書に記載されるワイヤレス・デバイスの方法の何れかに従って動作するように適合された少なくとも１つのモジュールを備える。
【００３１】
本開示の別の側面によれば、コンピュータ・プログラムは、ワイヤレス・デバイスの少なくとも１つのプロセッサで実行された場合に、前記少なくとも１つのプロセッサに、本書に記載されるワイヤレス・デバイスの方法の何れかを実行させる命令を含む。
【００３２】
本開示の別の側面によれば、キャリアは上述のコンピュータ・プログラムを含み、前記キャリアは、電子信号、光信号、無線信号又はコンピュータ可読記憶媒体のうちの１つである。
【００３３】
本開示の別の側面によれば、送信機によって部分再送を実行する方法は、第１送信を受信機に送信することと、前記第１送信のうち再送されるべき少なくとも１つの部分を識別するインジケーションを前記受信機から受信することと、複数のシンボルを含む伝送時間間隔（ＴＴＩ）内で第２送信が送信されることを示す制御情報メッセージを前記受信機に送信することであって、前記第２送信は、前記ＴＴＩの前記複数のシンボルの部分集合内に再送データを含み、前記再送データは、第１送信の部分の再送を含む、ことと、前記第２送信を前記受信機に送信することと、を有する。
【００３４】
１つの実施形態において、前記第２送信を送信する前に、前記第２送信内の前記再送データの位置を示すためのマッピング・インジケータを前記受信機に送信することをさらに有する。
【００３５】
１つの実施形態において、前記マッピング・インジケータは、前記制御情報メッセージの一部として送信される。
【００３６】
１つの実施形態において、前記マッピング・インジケータは、前記制御情報メッセージとは別に送信される。
【００３７】
１つの実施形態において、前記マッピング・インジケータは、当初に送信されたデータが前記第１送信において占めるのと同じ位置を前記再送データが前記第２送信において占めることを示す。
【００３８】
１つの実施形態において、前記マッピング・インジケータは、前記再送データが前記第２送信内の連続する位置を占めることを示す。
【００３９】
１つの実施形態において、前記マッピング・インジケータは、前記再送データが前記第２送信にわたって分散されることを示す。
【００４０】
１つの実施形態において、前記マッピング・インジケータは、前記第１送信のどの部分が再送されているかを識別する。
【００４１】
１つの実施形態において、前記マッピング・インジケータは、複数のマッピングのうちの１つのマッピングを識別し、各マッピングは、前記第２送信内の前記再送データの位置と、前記第１送信のどの部分が再送されているかと、のうちの少なくとも１つを識別する。
【００４２】
１つの実施形態において、前記制御情報メッセージ又は前記マッピング・インジケータは、前記再送データが当初に送信されたデータを置き換えるか、又は前記当初に送信されたデータにソフト合成されるかを示す合成命令を含む。
【００４３】
１つの実施形態において、前記合成命令は、冗長バージョンを含む。
【００４４】
１つの実施形態において、前記受信機は、ワイヤレス・デバイス又はユーザ機器を含む。
【００４５】
１つの実施形態において、前記送信は、トランスポート・ブロックを含み、前記送信の前記部分は、コード・ブロック又はコード・ブロック・グループを含む。
【００４６】
１つの実施形態において、前記受信機は、ＨＡＲＱフィードバックの送信を介して、送信の部分の受信不成功を示す。
【００４７】
１つの実施形態において、前記ＨＡＲＱフィードバックは、トランスポート・ブロックごとに複数のビットを含む。
【００４８】
１つの実施形態において、前記複数のビットは、トランスポート・ブロックごと又はコード・ブロックごとにＨＡＲＱ  ＡＣＫ又はＮＡＣＫをシグナリングするために使用される。
【００４９】
１つの実施形態において、前記ネットワーク・ノードは、無線アクセス・ノードを含む。
【００５０】
本開示の別の側面によれば、部分再送を実行するためのネットワーク・ノードであって、本書に記載されるネットワーク・ノードの方法の何れかに従って動作するように適合されたネットワーク・ノード。
【００５１】
本開示の別の側面によれば、部分再送を実行するためのネットワーク・ノードは、少なくとも１つの無線ユニットと、前記ネットワーク・ノードを本書に記載されるネットワーク・ノードの方法の何れかに従って動作させるように適合された制御システムと、を備える。
【００５２】
本開示の別の側面によれば、部分再送を実行するためのネットワーク・ノードであって、本書に記載されるネットワーク・ノードの方法の何れかに従って動作するように適合された少なくとも１つのモジュールを備えるネットワーク・ノード。
【００５３】
本開示の別の側面によれば、コンピュータ・プログラムは、ネットワーク・ノードの少なくとも１つのプロセッサで実行された場合に、前記少なくとも１つのプロセッサに、本書に記載されるネットワーク・ノードの方法の何れかを実行させる命令を伝達する。
【００５４】
本開示の別の側面によれば、キャリアは上述のコンピュータ・プログラムを含み、前記キャリアは、電子信号、光信号、無線信号又はコンピュータ可読記憶媒体のうちの１つである。
【発明の効果】
【００５５】
複数ビットＨＡＲＱフィードバックは、あるコードブロックを正しく復号できたが他のものをできなかったことを受信機が送信機に示すことを可能にし、正しく復号されなかったコード・ブロックを送信機に再送するように促す。本開示では、ＵＥが再送を受信するためのリソース（複数のシンボルを有するＴＴＩ）を割り当てられる。しかし、部分再送は、すべての割り当てられたリソース（ＴＴＩのすべてのシンボル）を必要とせず、したがって、再送のために割り当てられた未使用のリソース（ＴＴＩのシンボル）は例えば、より短いＴＴＩを有するＵＲＬＬＣ送信のために使用されうる。さらに、送信ノードは、再送データを受信するＴＴＩのシンボルをＵＥに伝えるためにマッピングインジケータを使用することによって、必要に応じて柔軟な方法で、再送データおよびＵＲＬＬＣデータを、割り当てられたリソース（割り当てられたＴＴＩのシンボル）に分散できる。この解決策は、誤って受信されたコード・ブロックの再送において、再送をパンクチャしなければならない確率を最小限に抑えるように再送コード・ブロックの位置が構成されうるという点で、より多くの自由度を与える。
【図面の簡単な説明】
【００５６】
この明細書に組み込まれその一部を形成する添付の図面は、本開示のいくつかの側面を説明し、説明とともに本開示の原理を説明するのに役立つ。
【００５７】
【図１】本開示の実施形態が実施されてもよいワイヤレス・システム（例えば、セルラ通信システム）の一例を示す。
【図２】本開示の実施形態による部分再送のための例示的なプロセスを示すフローチャートである。
【図３】ダウンリンク制御情報（ＤＣＩ）に続く後続のシンボルにおいてコード・ブロックが再送される、本開示の実施形態による例示的な部分再送を示す。
【図４】レイテンシ・クリティカル・データを送信するために使用するために利用可能なスペースを提供するように、再送されるコード・ブロックが分散される、本開示の実施形態による例示的な部分再送を示す。
【図５】本開示の実施形態による例示的なワイヤレス・デバイスの概略ブロック図である。
【図６】本開示の別の実施形態による例示的なワイヤレス・デバイスの概略ブロック図である。
【図７】本開示の実施形態による例示的なネットワーク・ノードの概略ブロック図である。
【図８】本開示の別の実施形態による例示的なネットワーク・ノードの概略ブロック図である。
【図９】本開示の実施形態によるネットワーク・ノードの例示的な仮想化された実施形態の概略ブロック図である。
【図１０】本書で説明される主題の別の実施形態による、部分再送のための例示的なプロセスを示すフローチャートである。
【発明を実施するための形態】
【００５８】
詳細な説明
以下に説明される実施形態は、当業者が実施形態を実施できるようにするための情報を提示し、実施形態の実施の最良モードを説明する。添付の図面に照らして以下の説明を読むと、当業者は開示の概念を理解し、本書に具体的に扱われていないこれらの概念の応用を認識するだろう。これらの概念及び応用が開示の範囲に入ることが理解されるべきである。
【００５９】
無線ノード：本書で使用されるように、「無線ノード」は、無線アクセス・ノード又はワイヤレス・デバイスのいずれかである。
【００６０】
無線アクセス・ノード：本書で使用されるように、「無線アクセス・ノード」又は「無線ネットワーク・ノード」は、信号を無線で送信及び／又は受信するように動作するセルラ通信ネットワークの無線アクセス・ネットワーク内の任意のノードである。無線アクセス・ノードのいくつかの例は、基地局（例えば、第３世代パートナシップ・プロジェクト（３ＧＰＰ）第５世代（５Ｇ）ＮＲネットワーク内のニュー・ラジオ（ＮＲ）基地局（ｇＮＢ）、又は３ＧＰＰロング・ターム・エボリューション（ＬＴＥ）ネットワーク内の発展型ノードＢ（ｅＮＢ））、高電力又はマクロ基地局、低電力基地局（例えば、マイクロ基地局、ピコ基地局、ホームｅＮＢなど）、及びリレー・ノードを含むが、これらに限定されない。
【００６１】
コア・ネットワーク・ノード：本書で使用されるように、「コア・ネットワーク・ノード」は、コア・ネットワーク内の任意のタイプのノードである。コア・ネットワーク・ノードのいくつかの例は、例えばモビリティ管理エンティティ（ＭＭＥ）、パケット・データ・ネットワーク・ゲートウェイ（Ｐ−ＧＷ）、サービス能力開示機能（ＳＣＥＦ）などを含む。
【００６２】
ワイヤレス・デバイス：本書で使用される場合、「ワイヤレス・デバイス」は、無線アクセス・ノードに信号を無線で送信及び／又は受信することによってセルラ通信ネットワークにアクセスする（すなわち、セルラ通信ネットワークによってサービス提供される）任意のタイプのデバイスである。ワイヤレス・デバイスのいくつかの例は、３ＧＰＰネットワークにおけるユーザ機器デバイス（ＵＥ）及びマシン・タイプ通信（ＭＴＣ）デバイスを含むが、これらに限定されない。
【００６３】
ネットワーク・ノード：本書で使用されるように、「ネットワーク・ノード」は、無線アクセス・ネットワークの一部又はセルラ通信ネットワーク／システムのコア・ネットワークのいずれかである任意のノードである。
【００６４】
本書で与えられる説明は３ＧＰＰセルラ通信システムに焦点を当てており、したがって、３ＧＰＰ用語又は３ＧＰＰ用語に類似する用語がしばしば使用されることに留意されたい。しかし、本書で開示される概念は、３ＧＰＰシステムに限定されない。
【００６５】
本書の説明で「セル」という用語を参照するかもしれないが、特に５Ｇ  ＮＲ概念に関して、セルの代わりにビームが使用されてもよく、したがって、本書で説明する概念がセルとビームとの両方に等しく適用可能であることに留意することが重要であることに留意されたい。
【００６６】
図１は、本開示の実施形態が実施されてもよいワイヤレス・システム１０（例えば、セルラ通信システム）の一例を示す。図１に示す実施形態で、ワイヤレス・システム１０は、無線アクセス・ノード１２と、ワイヤレス・デバイス１４とを含む。
【００６７】
図２は、本書で説明される主題の実施形態による、部分再送のための例示的なプロセスを示すフローチャートである。図２に示す実施形態において、プロセスは、受信機（例えば、ワイヤレス・デバイス１４）が送信機（例えば、無線アクセス・ノード１２）から第１送信を受信した後に開始する。受信機は第１送信のいくつかの部分が正しく受信されなかったことを判定し、この事実を、例えば、ハイブリッド自動再送要求（ＨＡＲＱ）否定応答（ＮＡＣＫ）を介して、第１送信の送信機に報告し返す。複数ビットＨＡＲＱフィードバックは、どの部分又はどのコード・ブロックが正しく受信されたか（例えば、それらの部分又はコード・ブロックについての確認応答（ＡＣＫ）を介して）、及びどの部分又はどのコード・ブロックが正しく受信されなかったか（例えば、それらの部分又はコード・ブロックについてのＮＡＣＫを介して）を受信機が示すことを可能にする。以下に詳述する例では、送信機が無線アクセス・ノード１２であると仮定するが、本開示はこれだけに限定されるものではない。代替の実施形態において例えば、送信機は別のワイヤレス・デバイスであってもよい。
【００６８】
ステップ１００において、受信機は、複数のシンボルを含む伝送時間間隔（ＴＴＩ）内で受信される第２送信を示す制御情報メッセージを受信し、第２送信は、ＴＴＩの複数のシンボルの部分集合内の再送データを含み、再送データは、第１送信の部分の再送を含む。１つの実施形態において、制御情報メッセージは、ダウンリンク制御情報（ＤＣＩ）メッセージを含む。
【００６９】
ステップ１０２において、受信機は第２送信を受信する。制御情報メッセージは、第２送信とは別に送信されてもよく、又は第２送信の一部であってもよい。
【００７０】
ステップ１０４において、受信機は、ＴＴＩの複数のシンボルの部分集合を示すマッピング・インジケータに基づいて、第２送信内の再送データの位置を決定する。１つの実施形態において、マッピング・インジケータは、再送データによって占められる第２送信内の位置を示す。１つの実施形態において、マッピング・インジケータは、第１送信のどの部分が第２送信内のこれらの位置を占めるかを示す。１つの実施形態において、マッピング・インジケータは、再送される部分を識別する情報と、この部分が再送内に現れる位置との両方を含む。この情報、例えば、第１送信のどの部分が第２送信に現れるか、及び／又は、これらが第２再送のどこに現れるかは、第２送信の「送信フォーマット」と呼ばれてもよい。１つの実施形態において、マッピング・インジケータは、ＤＣＩメッセージのコンポーネントである。１つの実施形態において、マッピング・インジケータは、ＤＣＩメッセージ以外のメカニズムを介して提供される。
【００７１】
第２送信が受信されることを示す制御情報がＤＣＩメッセージを含む場合に、ＤＣＩメッセージは概念的には第２送信の一部であるとみなされてもよく、例えば、ＤＣＩメッセージは、「再送」の一部とみなされてもよいことに留意されたい。これに代えて、ＤＣＩメッセージは、再送とは別個のエンティティであるとみなされてもよく、この場合に、ＤＣＩメッセージは「再送割当て」と呼ばれてもよい。
【００７２】
ステップ１０６において、受信機は、第２送信内の決定された位置にある第２送信を復号する。１つの実施形態において、制御シグナリング情報又はマッピング・インジケータのいずれかは、再送データが当初に送信されたデータを置き換えるか、又はそれが第１送信の対応する部分にソフト合成されるかを受信機に命令する情報を含んでもよい。このような情報の例は、ＬＴＥにおいて使用される冗長バージョン（ＲＶ）である。
【００７３】
代替の実施形態において、ステップ１０２及び１０４が全体的に又は部分的に省略されてもよいことに留意されたい。例えば、再送部分が常に再送の先頭の最も近くに位置する実施形態において、受信機は、第２送信内の再送部分の位置を既に知っており、この場合、マッピング・インジケータは必要とされず、又はマッピング・インジケータが再送部分を識別するために使用されるならば、マッピング・インジケータは第２送信内の再送部分の位置も識別する必要はない。
【００７４】
また、本書で説明される主題は、第１送信のどの部分が再送されるかを受信機が通知されない、すなわち、受信機が第１送信のどの部分が受信成功しなかったかを送信機に通知したので、受信機が送信機によって再送されることになるものを既に知っていると送信機が仮定する実施形態を考慮することに留意されたい。しかし、このような実施形態は、ＨＡＲＱ  ＮＡＣＫメッセージ（又は第１送信の受信不成功の部分を送信機に通知するために受信機によって使用された何らかのメカニズム）が破損することなく送信機によって受信されたことを仮定する。ＨＡＲＱ  ＮＡＣＫメッセージのこのような破損は理論的にありうるので、本書で説明される主題のよりロバストな実施形態はどの部分が再送されているかを受信機に識別し、これにより、受信機は、ＨＡＲＱ  ＮＡＣＫメッセージ情報が送信機によって正しく受信されたことを確認できる。
【００７５】
１つの実施形態において、受信機は、ＨＡＲＱ  ＮＡＣＫメッセージに基づいて１つ以上の仮説を試みてもよく、１つの仮説はＨＡＲＱ  ＮＡＣＫメッセージが破損している可能性があることであってもよい。例えば、受信機は、２つの部分の正しくない受信を示す２つのＨＡＲＱ  ＮＡＣＫを送信したかもしれない。再送の受信時に、受信機は以下の３つの仮説を試みてもよい。（ａ）両方のＨＡＲＱ  ＮＡＣＫが破損していないと仮定すること、（ｂ）第１ＨＡＲＱ  ＮＡＣＫが破損しているが第２ＨＡＲＱ  ＮＡＣＫが破損していないと仮定すること、（ｃ）第２ＨＡＲＱ  ＮＡＣＫが破損しているが第１ＨＡＲＱ  ＮＡＣＫが破損していないと仮定すること。
【００７６】
図３及び図４は、本書で説明される主題の様々な実施形態による例示的な再送を図式的に示す。図３及び図４に示す実施形態において、送信の伝送時間間隔（ＴＴＩ）は７つのシンボルに分割され、最初のシンボルはＤＣＩを含み、後続のシンボルはペアに分割され、それぞれのペアが１つのコード・ブロック（ＣＢ）を搬送し、したがって、トランスポート・ブロック（ＴＢ）は３つのコード・ブロックに分割される。
【００７７】
実施形態：再送ＣＢのＤＣＩインジケーション
図３は本書で説明される主題の実施形態による例示的な部分再送を示し、ＣＢは、ＤＣＩに続く後続のシンボルで再送される。この実施形態において、受信機は、再送におけるＣＢがＤＣＩの直後の後続のシンボルに、厳密なインクリメント順序で配置されることを常に想定するように（上位層によって、又は仕様によって）すでに構成されている。再送のＤＣＩは再送にどのＣＢが存在し、どのＲＶが使用されるかのインジケーションを含む。
【００７８】
図３に示される実施形態において、受信機は、図３にパターン塗りつぶしボックスとして表される３つのコード・ブロックＣＢ１、ＣＢ２及びＣＢ３が後に続くＤＣＩを備える最初の送信１６を受信する。受信機は例えば、複数ビットＨＡＲＱフィードバックを用いて、コード・ブロック１及び３が正しく復号されたが、コード・ブロック２が正しく復号されなかったことをサーバに示す。
【００７９】
次に、受信機は再送１８を受信する。１つの実施形態において、再送１８のためのＤＣＩは、コード・ブロック２のみが存在することを示すビットマップ０１０と、すべての再送コード・ブロックの２番目のＲＶが使用されることを示すＲＶ＝１とを含むことができる（１番目はＲＶ＝０である）。したがって、受信機は、ＣＢ２を復号することができるように増分冗長性を使用できる。
【００８０】
再送ＴＴＩ中に、送信のために超高信頼性低レイテンシ通信（ＵＲＬＬＣ）パケット（又は他のレイテンシ・クリティカル・パケット）が送信機に提供されるならば、再送ＴＴＩが図３において白色（塗りつぶされていない）ボックスとして表される未使用のリソースを含むので、別の送信をパンクチャする必要なしに、再送ＴＴＩにおいてＵＲＬＬＣパケットを送信する機会がある。再送を順次シンボルで構成することは、高ドップラー拡散の場合に、特に制御領域がシンボル２内の復調基準信号（ＤＭＲＳ）でさらに構成されるならば、特に有用である。
【００８１】
ＣＢ２の最初の送信がＵＲＬＬＣ送信によってパンクチャされ、前記コード・ブロックの誤った復号化につながった場合に、送信機は、好ましくは再送においてＲＶ＝０を選択すべきである。送信機は、パンクチャリングを実行したので、この決定をいつ行うべきかを知る。
【００８２】
実施形態：インオーダ分散割り当て
図４は、レイテンシ・クリティカル・データを送信するために使用するために利用可能なスペースを提供するように、再送されるコード・ブロックが分散される、本書で説明される主題の実施形態による例示的な部分再送を示す。図４は、再送されるコード・ブロックが再送２０の前方に順次配置される再送２０と、再送されるコード・ブロックが再送２２にわたって分散される再送２２とを比較する。
【００８３】
１つの実施形態において、ＤＣＩは、（コード・ブロックごとに個別であってもよいし、なくてもよい）ＲＶ値とともに、再送中にどのコード・ブロックが存在するかのみを示す。しかし、この実施形態において、受信機は、再送されるコード・ブロックの集合を、再送コード・ブロックが現れる再送内の位置にマッピングするマッピングを用いて事前に構成される。このようなマップの例を表１に示す。
表１：シンボル位置に設定された再送からの例示のマッピング
0006860891.tif 000002
【００８４】
表１によって示される実施形態において、再送コード・ブロックは、第１部分（ａ）と第２部分（ｂ）とに分割され、この例では第１部分と第２部分（ｂ）とはコード・ブロックの第１半分と第２半分とに対応する。表の空のセルは、再送コード・ブロックのために使用されない（したがって、レイテンシ・クリティカルな送信のためなど、他の目的のために使用されてもよい）再送内のシンボル位置を示す。
【００８５】
この例示的なマッピングは、各再送集合について空シンボルの別個のグループの数を最大化し、これによって、送信機会がＴＴＩ内で頻繁に発生するので、パンクチャリングなしにレイテンシ・クリティカル・パケットを送信できる最良の可能性を提供する。図４に示す実施形態において例えば、第１送信（図示せず）が受信機によって受信され、これは第１コード・ブロック（ＣＢ１）が正常に復号されなかったことを送信機に示した。
【００８６】
１つの実施形態において、送信機は、失敗したコード・ブロックを、それらが当初に現れたのと同じ位置で再送し、例えば、ＣＢ１は再送２０のＤＣＩの後の最初の２つのシンボルを占める。送信機が再送２０のＤＣＩを送信するのと同時にレイテンシ・クリティカル・パケット（例えば、ＵＲＬＬＣパケット）が送信機に到達したならば、ＵＲＬＬＣパケットを（別の送信をパンクチャすることなく）送信できる最も早い時間は、シンボル４まで到来しない。図３の再送１８についても同じ問題が発生すること、すなわち、ＵＲＬＬＣパケットを送信する最初の機会はシンボル４まで現れないことに留意されたい。
【００８７】
対照的に、再送２２は、表１による分散再送フォーマットを使用する。表１によれば、ＣＢ１のみが再送されるならば、再送コード・ブロックは２つの部分に分割され、第１部分（ＣＢ１ａ）はシンボル３の間に送信され、第２部分（ＣＢ１ｂ）はシンボル６で送信される。これは図４に再送２２として図式的に示されている。この分散再送フォーマットを使用した結果として、別の送信をパンクチャすることなくレイテンシ・クリティカル・パケットを注入する最初の機会は、（再送１８の順次再送フォーマットでのシンボル４ではなく、再送２０の「当初の」再送フォーマットと「同じ位置」にある）シンボル２で生じる。
【００８８】
コード・ブロックが再送されていない間にレイテンシ・クリティカルな送信が送信機に到達したならば、その時点で送信されているＴＴＩはおそらく空きリソースを有さず、この場合、レイテンシ・センシティブな送信は次のＴＴＩまで待機する必要がある（又は、そうでなければ、送信機は現在進行中の送信のうちの１つをパンクチャする必要がある）ことが理解されるだろう。
【００８９】
受信機は、上記のようないくつかのマッピングで構成されてもよい。そして、ＤＣＩはどのマッピングが使用されるべきかを示してもよく、又は、受信機は、送信機からのインジケーションに基づいて変わりうる、上位層による「現在の」マッピングで構成されてもよい。
【００９０】
実施形態：再送固有マッピング
１つの実施形態において、送信機は、ＤＣＩにおける再送のために使用されるべきマッピングを明示的に示してもよい。１つの実施形態において、このインジケーションは、ＤＣＩに続く各シンボルについて、当該シンボルが再送によって使用されるかどうかを示すビットの集合であってもよい。
【００９１】
実施形態：周波数位置
１つの実施形態において、区分されるコード・ブロックは、常に時間によって分離される（すなわち、別個のシンボルに含まれる）だけでなく、時間的に重なり合い、周波数によっても分離されてもよい。これらの実施形態において、マッピングは、コード・ブロック又はコード・ブロック部分の周波数位置に関する情報も含む。このようなマッピングは例えば、シンボルではなくリソース要素（ＲＥ）へのマッピングであってもよい。
【００９２】
実施形態：マルチユーザ多入力多出力（ＭＵ−ＭＩＭＯ）
送信機がＭＵ−ＭＩＭＯ送信を実行できるシステムにおいて、送信機は、異なる受信機に向けられた２つのＴＢを、同じ周波数リソース上で同時に、ただし空間的に分離して送信してもよい。ＣＢが時間的に分離される場合に、ＨＡＲＱフィードバックは、どのＣＢが正しく復号され、ユーザに送信されたＣＢの少なくとも半分が正しく復号されたかを示し、送信機は、時間的に分離されるようにユーザへのＣＢの再送をマッピングできる。
【００９３】
例：各ＴＢが４つのＣＢで構成されると仮定すると、受信機１及び２への最初の送信は、（明確にするためにＤＣＩを省略して、）
ＲＸ１：［ＣＢ１，ＣＢ２，ＣＢ３，ＣＢ４］、
ＲＸ２：［ＣＢ１，ＣＢ２，ＣＢ３，ＣＢ４］、
であろう。
ＨＡＲＱフィードバックが
ＲＸ１：［０，１，０，１］、
ＲＸ２：［０，０，１，１］、
の復号結果を示すならば、送信機は、対応する再送が
ＲＸ１：［ＣＢ１  ＣＢ３、ＮＵＬＬ、ＮＵＬＬ］、
ＲＸ２：［ＮＵＬＬ、ＮＵＬＬ、ＣＢ１、ＣＢ２］、
になるようにマッピングを選択してもよい。ここで、ＮＵＬＬは送信なしを意味する。この特定の例で、送信機は、受信機間のコード・ブロック上に干渉がないので、コード・ブロックの再送のためにＭＵ−ＭＩＭＯを使用する必要がない。別の例で、再送コード・ブロック間に干渉が存在してもよく、この場合に、送信機は再送のためにＭＵ−ＭＩＭＯを使用する。
【００９４】
図５は、本開示のいくつかの実施形態によるワイヤレス・デバイス１４（たとえば、ＵＥ）の概略ブロック図である。図示のように、ワイヤレス・デバイス１４は、１つ以上のプロセッサ２６（例えば、中央処理装置（ＣＰＵ）、特定用途向け集積回路（ＡＳＩＣ）、フィールド・プログラマブル・ゲート・アレイ（ＦＰＧＡ）、デジタル信号プロセッサ（ＤＳＰ）、及び／又は同様のもの）及びメモリ２８を備える回路２４を含む。ワイヤレス・デバイス１４はまた、１つ以上のアンテナ３６に結合された１つ以上の送信機３２及び１つ以上の受信機３４をそれぞれが含む１つ以上の送受信機３０を含む。いくつかの実施形態において、上述のワイヤレス・デバイス１４の機能は、ハードウェアで（例えば、回路２４内のハードウェア及び／又はプロセッサ２６内のハードウェアを介して）実装されてもよく、又はハードウェア及びソフトウェアの組み合わせで実装されてもよい（例えば、メモリ２８に格納され、プロセッサ２６によって実行されるソフトウェアで全体的に又は部分的に実装されてもよい）。
【００９５】
いくつかの実施形態において、少なくとも１つのプロセッサ２６によって実行された場合に、本書で説明される実施形態のうちのいずれかによるワイヤレス・デバイス１４の機能のうちの少なくともいくつかを少なくとも１つのプロセッサ２６に実行させる命令を含むコンピュータ・プログラムが提供される。一部の実施形態で、上述のコンピュータ・プログラム製品を含むキャリアが提供される。キャリアは、電子信号、光信号、無線信号、又はコンピュータ可読記憶媒体（例えば、メモリのような非一時的コンピュータ可読媒体）のうちの１つである。
【００９６】
図６は、本開示のいくつかの他の実施形態によるワイヤレス・デバイス１４（たとえば、ＵＥ）の概略ブロック図である。ワイヤレス・デバイス１４は、１つ以上のモジュール３８を含み、各モジュールはソフトウェアで実装される。モジュール３８は、本書で説明されるワイヤレス・デバイス１４の機能を提供する。例えば、モジュール３８は、図２のステップ１００を実行するように動作可能な受信モジュールと、図２のステップ１０２及び１０４を実行するマッピング・モジュールと、図２のステップ１０６を実行する復号モジュールとを含んでもよい。
【００９７】
図７は、本開示の一部の実施形態に従うネットワーク・ノード４０の概略ブロック図である。図示のように、ネットワーク・ノード４０は、１つ以上のプロセッサ４４（例えば、ＣＰＵ、ＡＳＩＣ、ＤＳＰ、ＦＰＧＡ、及び／又は同様のもの）及びメモリ４６を備える回路を含む制御システム４２を含む。制御システム４２はまた、ネットワーク・インタフェース４８を含む。ネットワーク・ノード４０が無線アクセス・ノードである実施形態において、ネットワーク・ノード４０は、１つ以上のアンテナ５６に結合された１つ以上の送信機５２及び１つ以上の受信機５４をそれぞれが含む１つ以上の無線ユニット５０も含む。いくつかの実施形態において、上述のネットワーク・ノード４０の機能（例えば、無線アクセス・ノード１２の機能）は例えば、メモリ４６に格納され、プロセッサ４４によって実行されるソフトウェアで全体的に又は部分的に実装されてもよい。
【００９８】
図８は、本開示のいくつかの他の実施形態によるネットワーク・ノード４０（例えば、無線アクセス・ノード１２）の概略ブロック図である。ネットワーク・ノード４０は、１つ以上のモジュール５８を含み、各モジュールはソフトウェアで実装される。モジュール５８は、本書で説明されるネットワーク・ノード４０の機能を提供する。モジュール５８は例えば、本書で説明するネットワーク・ノード４０の機能を提供するように動作可能な１つ以上のモジュールを備えてもよい。
【００９９】
図９は、本開示のいくつかの実施形態によるネットワーク・ノード４０（例えば、無線アクセス・ノード１２）の仮想化された実施形態を示す概略ブロック図である。本書で使用されるように、「仮想化された」ネットワーク・ノードは、ネットワーク・ノード４０の機能の一部が仮想コンポーネントとして（例えば、ネットワーク内の物理処理ノード上で実行される仮想マシンを介して）実装されるネットワーク・ノード４０である。図示されるように、ネットワーク・ノード４０は、オプションとして、図７に関連して説明されるような制御システム４２を含む。さらに、ネットワーク・ノード４０が無線アクセス・ノード１２であるならば、ネットワーク・ノード４０は図７に関連して説明されるような１つ以上の無線ユニット５０も含む。制御システム４２（存在する場合）は、ネットワーク・インタフェース４８を介してネットワーク６２に結合されるか又はネットワーク６２の一部として含まれる１つ以上の処理ノード６０に接続される。これにかえて、制御システム４２が存在しないならば、１つ以上の無線ユニット５０（存在する場合）は、ネットワーク・インタフェースを介して１つ以上の処理ノード６０に接続される。これにかえて、本書に記載されるネットワーク・ノード４０の機能の全ては、処理ノード６０において実施されてもよい（すなわち、ネットワーク・ノード４０は制御システム４２又は無線ユニット５０を含まない）。各処理ノード６０は、１つ以上のプロセッサ６４（例えば、ＣＰＵ、ＡＳＩＣ、ＤＳＰ、ＦＰＧＡ、及び／又は同様のもの）、メモリ６６、及びネットワーク・インタフェース６８を含む。
【０１００】
この例で、本書で説明するネットワーク・ノード４０の機能７０は、１つ以上の処理ノード６０で実装されるか、又は制御システム４２（存在する場合）及び１つ以上の処理ノード６０にわたって任意の所望の方法で分散される。いくつかの特定の実施形態において、本書で説明されるネットワーク・ノード４０の機能７０のいくつか又はすべては、処理ノード６０によってホストされる仮想環境で実装される１つ以上の仮想マシンによって実行される仮想コンポーネントとして実装される。当業者に理解されるように、所望の機能の少なくともいくつかを実行するために、処理ノード６０と制御システム４２（存在する場合）又は代替の無線ユニット５０（存在する場合）との間の追加のシグナリング又は通信が使用される。特に、いくつかの実施形態において、制御システム４２は含まれなくてもよく、この場合、無線ユニット５０（存在する場合）は適切なネットワーク・インタフェースを介して処理ノード６０と直接通信する。
【０１０１】
いくつかの特定の実施形態において、ネットワーク・ノード４０の上位層機能（例えば、プロトコル・スタックの第３層及びその上位層、場合によっては第２層のいくつか）は仮想コンポーネントとして処理ノード６０で実装されてもよく（すなわち、「クラウド」で実装される）、一方、下位層機能（例えば、プロトコル・スタックの第１層及び場合によっては第２層のいくつか）は無線ユニット５０及び場合によっては制御システム４２で実装されてもよい。
【０１０２】
いくつかの実施形態において、少なくとも１つのプロセッサ４４、６４によって実行された場合に、本書で説明される実施形態のいずれかに従って、少なくとも１つのプロセッサ４４、６４にネットワーク・ノード４０又は処理ノード６０の機能を実行させる命令を含むコンピュータ・プログラムが提供される。いくつかの実施形態で、上述のコンピュータ・プログラム製品を含むキャリアが提供される。キャリアは、電子信号、光信号、無線信号、又はコンピュータ可読記憶媒体（例えば、メモリ４６、６６などの非一時的コンピュータ可読媒体）のうちの１つである。
【０１０３】
１つの実施形態において、送信の１つ以上の部分の受信失敗を示した受信機は、第１送信の１つ以上の部分の受信不成功の部分の再送を受信する。その後、受信機は、示された位置においてのみ再送を受信でき、第１送信からのソフト情報（もしあれば）とともにデータ・パケットを復号することを試みることができる。
【０１０４】
１つの実施形態において、受信機は、ＨＡＲＱフィードバック・メカニズムを介した送信の１つ以上の部分の受信不成功を示す。１つの実施形態において、ＨＡＲＱフィードバックは、トランスポート・ブロックごとに複数のビットを含む。１つの実施形態において、これらのビットは、（例えば、トランスポート・ブロックが複数のコード・ブロックを含むならば、）トランスポート・ブロックごとに、又はコード・ブロックごとに、ＨＡＲＱ  ＡＣＫ又はＮＡＣＫをシグナリングするために使用される。
【０１０５】
１つの実施形態において、再送は、再送されている部分を識別する情報を含まない。別の実施形態において、再送は、再送されている部分を識別する情報を含む。これらの実施形態において、受信機は、送信されている部分を識別する情報を使用して、当初の送信中に受信に成功しなかったことを受信機が示した正しい部分を再送が含むことを検証してもよい。
【０１０６】
１つの実施形態において、再送は、再送されている部分を含む再送内の位置を識別するインジケータを含まない。１つの実施形態において、受信機は、再送部分が再送において、当初の送信において占有された受信不成功の部分と同じ位置を占めると仮定してもよい。別の実施形態において、受信機は、１つ以上の再送部分が再送内の最初に到達する位置を占めると仮定してもよい。
【０１０７】
１つの実施形態において、再送は、再送されている部分を含む再送内の位置を識別するインジケータを含む。１つの実施形態において、再送は、ワイヤレス・デバイスが再送されている部分のコンテンツ及び／又は位置を決定できるようにする情報を含む。１つの実施形態において、インジケータは、ワイヤレス・デバイスに提供されるＤＣＩ内に含まれる。
【０１０８】
１つの実施形態において、再送は、再送されている部分のコンテンツ及び／又は位置を受信機が決定するために使用するマッピング情報を含む。１つの実施形態において、送信機は、ＤＣＩにおける再送のために使用されるべきマッピングを明示的に示してもよい。１つの実施形態において、このインジケーションは、ＤＣＩに続く各シンボルについて、当該シンボルが再送によって使用されるかどうかを示すビットの集合であってもよい。１つの実施形態において、マッピング情報は、再送内の再送されている部分のコンテンツ及び位置を示す情報を提供するルックアップ・テーブルへのインデックスを含む。１つの実施形態において、マッピング情報は、再送内の再送されている部分のコンテンツ及び位置を示す情報を提供するルックアップ・テーブルの集合の１つのルックアップ・テーブルを識別する。１つの実施形態において、ルックアップ・テーブルは、ネットワーク・シグナリングを介して受信機に伝達される。
【０１０９】
１つの実施形態において、区分されたコード・ブロックは、時間によってではなく周波数によって分離されてもよく、例えば、コード・ブロックは同じ時間であるが異なる周波数を占める。１つの実施形態において、区分されたコード・ブロックは、時間及び周波数によって分離されてもよい。これらの実施形態において、マッピングは、コード・ブロック又はコード・ブロック部分の周波数位置に関する情報を含む。このようなマッピングは例えば、シンボルではなくＲＥへのマッピングであってもよい。
【０１１０】
１つの実施形態において、再送部分は、例えば、ＵＲＬＬＣ又は他の高優先度送信が再送の最初の部分を占有し、それによって厳密なレイテンシ要件を満たすことができるように、再送内で分散されてもよいし、又は再送の終わりに一緒に配置されてもよい。１つの実施形態において、再送部分は、再送の開始時に、例えば、復調基準信号（ＤＭＲＳ）の近くに一緒に配置されてもよく、これは特に、高いドップラー拡散の条件において、再送が失敗する可能性を低減する。
【０１１１】
図１０は、本書で説明される主題の別の実施形態による、部分再送のための例示的なプロセスを示すフローチャートである。１つの実施形態において、受信機（例えば、ワイヤレス・デバイス１４）と通信する、本書では送信機と呼ばれるネットワーク・ノード（例えば、無線アクセス・ノード１２）によって、図１０に示すプロセスが実行されてもよい。
【０１１２】
ステップ１０００において、送信機は、受信機に第１送信を送信する。
【０１１３】
ステップ１００２において、送信機は受信機から、第１送信のうち再送されるべき少なくとも１つの部分を識別するインジケーションを受信する。１つの実施形態において、受信機は、例えば第１送信内に含まれるコード・ブロックのいくつかが正しく復号されなかったことを示す複数ビットＨＡＲＱを用いて第１送信に応答する。
【０１１４】
ステップ１００４において、送信機は、複数のシンボルを含むＴＴＩ内で第２送信が送信されることを示す制御情報メッセージを受信機に送信し、第２送信は、ＴＴＩの複数のシンボルの部分集合内の再送データを含み、再送データは、第１送信の部分の再送を含む。１つの実施形態において、制御情報メッセージは、ＤＣＩメッセージであってもよい。
【０１１５】
ステップ１００６において、送信機は、第２送信内の再送データの位置を示すためのマッピング・インジケータを受信機に送信する。点線の輪郭によって示されるように、ステップ１００６はオプションであり、例えばマッピング・インジケータは、以前に受信機に提供されていてもよく、又は、受信機は、例えば以前にマッピング・インジケータをプロビジョニングされていてもよい。さらに、マッピング・インジケータが受信機に送信される場合、マッピング・インジケータはステップ１００４の前に送信されてもよく、ステップ１００４において制御情報メッセージの一部として送信されてもよく、図１０に示されるように、ステップ１００４の後であるがステップ１００８の前に送信されてもよく、又はステップ１００８において第２送信の一部として送信されてもよい。
【０１１６】
ステップ１００８において、送信機は、受信機に第２送信を送信する。その後、受信機は、マッピング・インジケータを使用して、第２送信内の再送データの位置を決定する。
【０１１７】
例示の実施形態
部分再送のための方法及びシステムが本書で提供される。これに限定されるものではないが、本開示のいくつかの例示的な実施形態が以下に提供される。以下の実施形態について、「受信される第２送信を示す制御情報」が再送の一部であるとみなされる（例えば、割り当てを含むＤＣＩも再送の一部である）が、これらの実施形態は、開示される主題の範囲から逸脱することなく、再送とは別個のもの（例えば、「再送割り当て」は適切な再送とは別個である）として受信されるべき第２送信を示す制御情報を考慮するように表現されてもよいことに留意されたい。すなわち、２つのアプローチの違いは、実装ではなく意味論の違いである。
１．送信機から部分再送を受信機において受信するための方法であって、受信される第２送信を示す制御情報メッセージを受信すること（１００）であって、前記第２送信は、第１送信の一部の再送である、ことと、前記第２送信内に含まれる前記第１送信の１つ以上の部分を前記制御情報メッセージに基づいて決定すること（１０４）と、前記第２送信の前記決定された部分を復号すること（１０６）と、を有する方法。
２．実施形態１に記載の方法であって、前記第１送信中に受信されたデータと前記第２送信中に受信されたデータとのソフト合成を実行することをさらに有する方法。
３．実施形態１又は２に記載の方法であって、前記受信機はワイヤレス・デバイス又はユーザ装置を含む、方法。
４．実施形態１乃至３の何れか１つに記載の方法であって、前記送信はトランスポート・ブロックを含み、前記送信の前記部分はコード・ブロックを含む、方法。
５．実施形態１乃至４の何れか１つに記載の方法であって、前記受信機は、ＨＡＲＱフィードバック・メカニズムを介する送信の１つ以上の部分の受信不成功を示す、方法。
６．実施形態５に記載の方法であって、前記ＨＡＲＱフィードバックは、トランスポート・ブロックごとに複数のビットを含む、方法。
７．実施形態６に記載の方法であって、前記複数のビットは、トランスポート・ブロックごと又はコード・ブロックごとにＨＡＲＱ  ＡＣＫ又はＮＡＣＫをシグナリングするために使用される、方法。
８．実施形態１乃至７の何れか１つに記載の方法であって、前記再送は、再送される部分を識別する情報を含まない、方法。
９．実施形態１乃至８の何れか１つに記載の方法であって、前記再送は、再送される部分を識別する情報を含む、方法。
１０．実施形態９に記載の方法であって、前記受信機は、前記第１送信中に不成功であると前記受信機が示した前記正しい部分を前記再送が含むことを検証するために、前記送信される部分を識別する情報を使用する、方法。
１１．実施形態１乃至１０の何れか１つに記載の方法であって、前記再送は、再送される部分を含む前記再送内の位置を識別するインジケータを含まない、方法。
１２．実施形態１１に記載の方法であって、前記受信機は、再送部分が当初の送信において占められた受信不成功の部分と同じ位置を再送中に占めると仮定する、方法。
１３．実施形態１１に記載の方法であって、前記受信機は、前記再送された部分が前記再送内の最も早く利用可能な位置を占めると仮定する、方法。
１４．実施形態１乃至１０の何れか１つに記載の方法であって、前記再送は、再送されている部分を含む、前記再送内の位置を識別するインジケータを含む、方法。
１５．実施形態１４に記載の方法であって、 送信されている部分を含む前記再送内の前記位置を識別する前記インジケータは、時間における位置、周波数における位置、又は時間及び周波数における位置を識別する、方法。
１６．実施形態１乃至１５の何れか１つに記載の方法であって、前記インジケータは、前記受信機に提供されるＤＣＩ内に含まれる、方法。
１７．実施形態１乃至１６の何れか１つに記載の方法であって、前記再送は、前記再送されている部分の前記コンテンツ及び／又は位置を決定する（１０４）ために前記受信機が使用するマッピング情報を含む、方法。
１８．実施形態１７に記載の方法であって、前記マッピング情報は、前記送信されている部分の前記コンテンツ及び／又は位置を直接的に識別する、方法。
１９．実施形態１７又は１８に記載の方法であって、 前記マッピング情報は、前記受信機に提供されるＤＣＩ内に含まれる、方法。
２０．実施形態１７乃至１９の何れか１つに記載の方法であって、前記マッピング情報は、前記送信されている部分の前記コンテンツ及び／又は位置を間接的に識別する、方法。
２１．実施形態１７乃至２０の何れか１つに記載の方法であって、前記マッピング情報は、ビットマップを含み、各ビットは、前記第１送信の部分に対応し、前記ビット値は、前記対応する部分が前記第２送信で再送されているか否かを示す、方法。
２２．実施形態１７乃至２０の何れか１つに記載の方法であって、前記マッピング情報は、前記再送されている部分の前記再送内の前記コンテンツ及び位置を示す情報を提供するルックアップ・テーブルへのインデックスを含む、方法。
２３．実施形態２２に記載の方法であって、前記再送されている部分の前記再送内の前記位置を示す情報を提供することは、時間における位置、周波数における位置、又は時間及び周波数における位置を識別することを含む、方法。
２４．実施形態２２又は２３に記載の方法であって、前記マッピング情報は、前記再送されている部分の前記再送内の前記コンテンツ及び位置を示す情報を提供するルックアップ・テーブルの集合の１つのルックアップ・テーブルを識別する、方法。
２５．実施形態２４に記載の方法であって、前記ルックアップ・テーブルは、ネットワーク・シグナリングを介して受信機に伝達される、方法。
２６．実施形態１乃至２５の何れか１つに記載の方法であって、前記再送部分は、前記再送内に分散される、方法。
２７．実施形態１乃至２５の何れか１つに記載の方法であって、前記再送部分は、前記再送の先頭に一緒に配置される、方法。
２８．送信機から部分再送を受信するためのワイヤレス・デバイス（１４）であって、実施形態１乃至２７の何れか１つに記載の方法に従って動作するように適合されたワイヤレス・デバイス（１４）。
２９．少なくとも１つのプロセッサで実行された場合に、前記少なくとも１つのプロセッサに、実施形態１乃至２７の何れか１つに記載の方法を実行させる命令を含むコンピュータ・プログラム。
３０．実施形態２９に記載のコンピュータ・プログラムを含むキャリアであって、前記媒体は、電子信号と、光信号と、無線信号と、コンピュータ可読記憶媒体とのうちの１つである、キャリア。
３１．送信機から部分再送を受信するためのワイヤレス・デバイス（１４）であって、少なくとも１つの送受信機（３０）と、前記ワイヤレス・デバイス（１４）に実施形態１乃至２７の何れか１つに記載の方法に従って動作させるように適合された処理回路（２４）と、を備えるワイヤレス・デバイス。
３２．送信機から部分送信を受信するためのワイヤレス・デバイス（１４）であって、実施形態１乃至２７の何れか１つに記載の方法に従って動作するように適合された少なくとも１つのモジュール（３８）を備えるワイヤレス・デバイス。
３３．ネットワーク・ノード（４０）による部分再送を実行する方法であって、第１送信を受信機に送信することと、再送されるべき前記第１送信の少なくとも１つの部分を識別するインジケーションを前記受信機から受信することと、第２送信を前記受信機に送信することであって、前記第２送信は、前記第１送信の前記識別された少なくとも１つの部分の再送を含み、前記第２送信を介して再送されている前記第１送信の前記部分を識別する制御情報メッセージを含む、ことと、を有する方法。
３４．実施形態３３に記載の方法であって、前記ネットワーク・ノード（４０）は、無線アクセス・ノード（１２）を含む、方法。
３５．部分再送を実行するためのネットワーク・ノード（４０）であって、実施形態３３又は３４に記載の方法に従って動作するように適合されたネットワーク・ノード。
３６．少なくとも１つのプロセッサ（６４）で実行された場合に、前記少なくとも１つのプロセッサ（６４）に、実施形態３３に記載の方法を実行させる命令を伝達するコンピュータ・プログラム。
３７．実施形態３５に記載のコンピュータ・プログラムを含むキャリアであって、前記媒体は、電子信号と、光信号と、無線信号と、コンピュータ可読記憶媒体とのうちの１つである、キャリア。
【０１１８】
本開示全体を通して以下の頭字語が使用される。
・３ＧＰＰ        第３世代パートナシップ・プロジェクト
・５Ｇ            第５世代
・ＡＣＫ          確認応答
・ＡＳＩＣ        特定用途向け特定集積回路
・ＢＳＣ          基地局制御装置
・ＣＢ            コード・ブロック
・ＣＮ            コア・ネットワーク
・ＣＰＵ          中央処理装置
・ＣＲＣ          巡回冗長検査
・ＤＣＩ          ダウンリンク制御情報
・ＤＭＲＳ        復調基準信号
・ＤＳＰ          デジタル信号プロセッサ
・ｅＮＢ          進化型又は発展型ノードＢ
・ＦＤＤ          周波数分割複信
・ＦＰＧＡ        フィールド・プログラマブル・ゲート・アレイ
・ｇＮＢ          ニュー・ラジオ基地局
・ＨＡＲＱ        ハイブリッド自動再送要求
・ＬＡＡ          ライセンス支援アクセス
・ＬＴＥ          ロング・ターム・エボリューション
・ＭＡＣ          媒体アクセス制御
・ＭＢＢ          モバイル・ブロードバンド
・ＭＨｚ          メガヘルツ
・ＭＩＭＯ        多入力多出力
・ＭＭＥ          モビリティ管理エンティティ
・ＭＵ−ＭＩＭＯ  マルチユーザ多入力多出力
・ＭＴＣ          マシン・タイプ通信
・ＮＡＣＫ        否定応答
・ＮＲ            ニュー・ラジオ
・Ｐ−ＧＷ        パケット・ゲートウェイ
・ＲＥ            リソース要素
・ＲＮＣ          無線ネットワーク制御装置
・ＲＶ            冗長バージョン
・ＳＣＥＦ        サービス能力開示機能
・ＳＧＳＮ        サービング汎用パケット無線サービス・サポート・ノード
・ＴＢ            トランスポート・ブロック
・ＴＴＩ          伝送時間間隔
・ＵＥ            ユーザ機器
・ＵＲＬＬＣ      超高信頼性低レイテンシ通信
【０１１９】
当業者は、本開示の実施形態の改良及び変形を認識するだろう。このようなすべての改良及び変形が本書に開示される概念の範囲内であるとみなされる。
【図１】
0006860891.tif 000003
【図２】
0006860891.tif 000004
【図３】
0006860891.tif 000005
【図４】
0006860891.tif 000006
【図５】
0006860891.tif 000007
【図６】
0006860891.tif 000008
【図７】
0006860891.tif 000009
【図８】
0006860891.tif 000010
【図９】
0006860891.tif 000011
【図１０】
0006860891.tif 000012